(57)【特許請求の範囲】
【請求項１】
内部に排水流路を形成する、側面及び底面に配した外壁部（２）、上方に配した、排水機器の取着孔周縁に当接する天板部（３）、外壁部（２）側面に設けた排出口（４）、雌螺子部（６）を有する開口部（５）、から成る排水装置本体（１）と、
排水装置本体（１）の開口部（５）の雌螺子部（６）と螺合する雄螺子部（９）を外周側壁に設けた筒状部（８）、及び該筒状部（８）の上端側に外側方向に向けて突出させたフランジ部（１０）から成り、開口部（５）に接続された際に該フランジ部（１０）と排水装置本体（１）の天板部（３）の一部又は全部とで、排水機器に設けられた取着孔の周縁を挟持して排水装置を排水機器に取着固定するフランジ部材（７）と、から構成されて成る排水装置において、
前記天板部（３）は外壁部（２）の外周より外側に突出して成り、
排水装置本体（１）の開口部（５）周縁に、垂直に立ち上がる立上部（１１）を備えるとともに、
該立上部（１１）内、及び前記外壁部（２）内周に少なくとも排出口の上縁近傍にまで亘って連続する雌螺子部（６）を延設し、
且つ雄螺子部（９）の高さ幅が、開口部（５）周縁の天板部（３）上面から、
開口部（５）下方の排水流路の上端までの高さ幅よりも大きく、
施工完了時において、フランジ部材（７）の高さ寸法が、フランジ部（１０）から開口部（５）下方の排水流路の上端までの高さ寸法と略同一かそれ以下であって、
フランジ部材（７）下端が開口部（５）下方の排水流路の中に飛び出さないことを特徴とする排水装置。
【請求項２】
上記請求項１に記載の排水装置において、
雄螺子部（９）の高さ幅が、立上部（１１）上端から、開口部（５）下方の排水流路の上端までの高さ幅と略同一か、それ以下であることを特徴とする排水装置。
【請求項３】
上記請求項１若しくは請求項２に記載の排水装置において、
排水装置に、下水側からの異臭や害虫類の逆流を防止するトラップ機能を備えたことを特徴とする排水装置。
【発明の詳細な説明】
【０００１】
【発明の属する技術分野】
本発明は、洗面台や流し台、浴槽等の排水機器と、排水を下水側に排出する為の排水配管との接続に用いられる排水装置に関するものである。
【０００２】
【従来の技術】
従来より、洗面台、流し台、浴槽など使用によって排水を生じる各種の機器（以後「排水機器」と呼ぶ）と、排水を下水側に排出する為の排水配管とを接続するために、図５に示したような排水装置が知られている。以下に、従来用いられてきた排水装置とその使用例を、図面を参照しつつ説明する。
【０００３】
図５に示した排水装置は、以下に記した排水装置本体、及びフランジ部材から構成される。
排水装置本体は、内部に排水流路を形成する、排水装置の側面及び底面に配された外壁部と、該外壁部側面に設けた排出口と、排水装置本体の上方に配した、排水機器の取着孔周縁に当接する天板部と、該天板部に設けた、雌螺子部を有する開口部と、から成る。
フランジ部材は、排水装置本体の開口部の雌螺子部と螺合する雄螺子部を外周側壁に設けた筒状部と、該筒状部の上端側に外側方向に向けて突出させたフランジ部から成る。
【０００４】
上記した排水装置を、例えば排水機器である防水パンに施工する場合、図５に示したように、防水パンに設けた取着孔に、フランジ部材の筒状部を挿通し、パッキングなどの水密部材を介して、フランジ部下面と、取着孔周縁の天板部を当接させる。
次に排水装置本体の開口部の雌螺子部に、フランジ部材の筒状部の外周面の雄螺子部を螺合させ、排水装置の取付が完了する。
更に排水装置の排出口に下水側の排水配管を接続して排水装置の施工が完了する。
【０００５】
【発明が解決しようとする課題】
近年、マンションなどの集合住宅においては、各階の上下幅を狭くすることで、建物全体の高さを変更することなく、建物内の階数を増加しようとする傾向にある。この場合に、居住空間の高さ幅を狭めることは快適な生活の妨げになるため、床下の配管部分の高さ幅を狭めることで各階の上下幅を狭くする、所謂低床配管が増加している。この低床配管の達成のために、前述した排水装置などもその上下幅を可能な限り狭くすることが要求されている。
【０００６】
ところで、排水装置はフランジ部の雄螺子部と、排水装置本体の雌螺子部の螺合によって排水機器に取り付けられるが、排水機器の種類によって、また同種の排水機器でもその構造や形状によって、排水機器の取着孔周縁の厚みは様々である。例えば浴槽であれば、人工大理石又は陶器などで構成された浴槽の取着孔周縁の厚みは１０乃至２０ミリメートルほどであるのに対して、ステンレス製の浴槽では、取着孔周縁の厚みは４乃至５ミリメートル前後である。排水装置の雄螺子部は、取着孔の周縁部の厚みが最も大きい場合に対応できるように設計されているため、例えば取着孔の周縁の厚みが、最大で２０ミリメートル、平均的には５ミリメートルのような場合、つまり図６の様な場合、断面図の左右の差異からもわかるように、取着孔周縁が充分な厚みを備えていれば適切な係り強度となるように構成した排水装置では、取着孔周縁の厚みがさほど無いような場合、雄螺子部の先端は必要以上に螺合を進めることとなる。
【０００７】
雌螺子部の下方に排水流路が形成されている排水装置において、上記段落０００５に記載したような理由により排水装置本体の高さ幅が狭まり、更に排水装置を施工する取着孔の厚みが比較的に薄い形状であった場合、図６の右側や、段落０００６に記載した従来例のように雄螺子部先端が必要以上に螺合し降下して、雌螺子部下方の排水流路に雄螺子部先端が到達し、排水流路の一部を閉塞して排水装置の排水性能を著しく悪化させる。
【０００８】
しかしながら、高さ幅が狭まった分だけフランジ部材の雄螺子部を狭めると、排水機器の取着孔周縁の厚みが最大となった場合、つまり段落０００６の例で有れば取着孔周縁の厚みが２０ミリメートル程度であった場合に、雄螺子部が雌螺子部に螺合できなくなったり、あるいは螺合しても数周りするだけで、充分な螺合強さが得られなくなってしまう。  これらの理由から、排水装置の汎用性を確保するために、排水流路の閉塞による排水性能の悪化という問題を生じつつ、排水装置の高さ方向を狭めている場合が殆どであった。
本発明は上記問題点に鑑み発明されたもので、螺合部分の係り強度を確保しながら排水装置の高さ幅を狭め、且つ排水流路の閉塞による排水性能の悪化を防ぐ排水装置を提供するものである。
【０００９】
【課題を解決するための手段】
請求項１に記載の排水接続管は、内部に排水流路を形成する、側面及び底面に配した外壁部（２）、上方に配した、排水機器の取着孔周縁に当接する天板部（３）、外壁部（２）側面に設けた排出口（４）、雌螺子部（６）を有する開口部（５）、から成る排水装置本体（１）と、
排水装置本体（１）の開口部（５）の雌螺子部（６）と螺合する雄螺子部（９）を外周側壁に設けた筒状部（８）、及び該筒状部（８）の上端側に外側方向に向けて突出させたフランジ部（１０）から成り、開口部（５）に接続された際に該フランジ部（１０）と排水装置本体（１）の天板部（３）の一部又は全部とで、排水機器に設けられた取着孔の周縁を挟持して排水装置を排水機器に取着固定するフランジ部材（７）と、から構成されて成る排水装置において、
前記天板部（３）は外壁部（２）の外周より外側に突出して成り、
排水装置本体（１）の開口部（５）周縁に、垂直に立ち上がる立上部（１１）を備えるとともに、
該立上部（１１）内、及び前記外壁部（２）内周に少なくとも排出口の上縁近傍にまで亘って連続する雌螺子部（６）を延設し、
且つ雄螺子部（９）の高さ幅が、開口部（５）周縁の天板部（３）上面から、
開口部（５）下方の排水流路の上端までの高さ幅よりも大きく、
施工完了時において、フランジ部材（７）の高さ寸法が、フランジ部（１０）から開口部（５）下方の排水流路の上端までの高さ寸法と略同一かそれ以下であって、
フランジ部材（７）下端が開口部（５）下方の排水流路の中に飛び出さないことを特徴とする排水装置である。
【００１０】
請求項２に記載の排水接続管は、上記段落０００９に記載の排水装置において、
雄螺子部（９）の高さ幅が、立上部（１１）上端から、開口部（５）下方の排水流路の上端までの高さ幅と略同一か、それ以下であることを特徴とする排水装置である。
【００１１】
請求項３に記載の排水接続管は、上記段落０００９若しくは段落００１０に記載の排水装置において、排水装置に、下水側からの異臭や害虫類の逆流を防止するトラップ機能を備えたことを特徴とする排水装置である。
【００１２】
【発明の実施の形態】
以下に本発明の第一実施例を、図面を参照しつつ説明する。
図１に示した本発明の実施例は、排水装置本体（１）、フランジ部材（７）、及び両者を水密的に接続する為のパッキング（Ｐ）よりなる。
排水装置本体（１）は、内部に排水流路を形成する、側面及び底面に配した外壁部（２）と、上方に配した、排水機器の取着孔周縁に当接する天板部（３）と、外壁部（２）側面に設けた排出口（４）と、雌螺子部（６）を有する開口部（５）と、から構成され、更に排水装置本体（１）の開口部（５）周縁に、垂直方向に立ち上がった立上部（１１）を備えて成る。また該立上部（１１）内には雌螺子部（６）を開口部（５）から延設し、且つ後述する雄螺子部（８）の高さ幅が、開口部（５）周縁の天板部（３）から、開口部（５）下方の排水流路の上端までの高さ幅よりも大きく成るように構成されて成る。
フランジ部材（７）は、排水装置本体（１）の開口部（５）の雌螺子部（６）と螺合する雄螺子部（９）を外周側壁に設け、更にその内部に排水流路に連通する排水口（１２）を備えた筒状部（８）と、該筒状部（８）の上端側に外側方向に向けて突出させたフランジ部（１０）から成る。
【００１３】
上記排水装置を排水機器に取着する場合、排水機器の取着孔にパッキング（Ｐ）を取り付け、次に排水装置の立上部（１１）を排水機器の取着孔に当接させる。さらにフランジ部材（７）の雄螺子部（９）を、開口部（５）の雌螺子部（６）に螺合させると、排水装置本体（１）の天板部（３）上面と、フランジ部材（７）のフランジ部（１０）下面とで、排水機器の取着孔周縁を強く挟持して、排水装置の取着が完了する。
【００１４】
上記のように構成された排水装置を採用した排水機器を使用した場合、排水はフランジ部材（７）の排水口（１２）から排水流路を通って排出口（４）に到達し、更に下水側に排出される。
この際に、フランジ部材（７）の筒状部（８）下端は、排水装置本体（１）の中に形成されている排水流路の中に飛び出し、排水流路の一部を狭めたりすることがなく、或いは仮に一部を狭めることがあっても従来例の排水装置のそれよりも遙かに軽微なため、排水装置の排水性能が悪化することはほとんどない。
【００１５】
上記のように構成した本発明の実施例においては、開口部（５）の雌螺子部（９）は、立上部（１１）の分だけ上昇している。このため、立上部（１１）の高さ幅分だけフランジ部材（７）の雄螺子部（９）の高さ幅を減じても、従来例の排水装置と同じだけの係り強度を得ることができる。
これによって、図３の従来例（左側）と本発明の実施例（右側）の比較参考図からも明らかなように、立上部（１１）分だけ雄螺子部の下端が排水流路の中に入り込まないか、あるいは入り込んでも従来例に比べて排水流路の閉塞は緩和される。
【００１６】
本発明の実施例は上記のようであるが、本発明は上記実施例に限定されるものではなく、発明の要旨を変更しない範囲で様々な変更が可能である。
例えば、上記実施例においては、排水装置を、排水エルボと呼ばれる、内部に排水が単純に流れるような構造としているが、図４に示したように、下水側から臭気や害虫類が逆流してくることを防止する機能を備えた排水装置としても上記実施例と同様の効果を得ることができる。
【００１７】
本発明は上記のように構成したため、以下のような優れた効果を奏する。
１）請求項１及び請求項２に記載の本発明に置いては、排水装置の開口部に立ち上がり部を設け、該立上部内にも雌螺子部を延設したため、螺合の係り強度を確保したまま、立上部の分だけフランジ部材の雄螺子部を幅狭とすることができ、排水流路の閉塞が無くなったり、又は閉塞を緩和することができる。
２）請求項３に記載の本発明においては、１）に記載した効果を、トラップ機能を備えた排水装置に付与することができる。
【図面の簡単な説明】
【図１】  本発明の実施例の施工した状態を示す断面図である。
【図２】  本発明の実施例の部材構成を示す斜視図である。
【図３】  従来例の排水装置と、本発明の実施例における排水装置との施工状態を比較した参考図である。
【図４】  本発明を、排水トラップと呼ばれる排水装置に採用した実施例を示す断面図である。
【図５】  従来例の排水装置を示す断面図である。
【図６】  従来例の排水装置の、取着孔周縁の厚みの違いによって生じる施工状態の差異を示す参考図である。
【符号の説明】
１    排水装置本体                      ２    外壁部
３    天板部                            ４    排出口
５    開口部                            ６    雌螺子部
７    フランジ部材                      ８    筒状部
９    雄螺子部                          １０  フランジ部
１１  立上部                            １２  排水孔
Ｐ    パッキング
【図１】
0005380658.tif 000002
【図２】
0005380658.tif 000003
【図３】
0005380658.tif 000004
【図４】
0005380658.tif 000005
【図５】
0005380658.tif 000006
【図６】
0005380658.tif 000007